(57)【要約】【課題】簡単な閉扉手段で扉の自動閉扉を行う。【解決手段】支柱１２と扉１０Ａの格子状板体３２との間に伸縮自在な閉扉手段３０を取り付ける。閉扉手段は伸縮バネ４０とワイヤ５０とで構成され、伸縮バネの一端は支柱に固定され、伸縮バネの他端にはワイヤが連結される。ワイヤの他端は格子状板体に固定される。伸縮バネの一端には伸縮力に対する調整ネジ４４が設けられる。ワイヤが支柱および門扉用框８０を貫通して、上述したフレーム若しくは格子状板体に取り付けられる。扉を開くときは、閉扉手段に設けられた伸縮バネが閉扉時よりも伸びているので、扉を開いて人が出入りした後、半開状態で扉の取っ手２４から手を離すと、上述した伸縮バネの作用で扉が自動的に原位置まで回動して戻る。これで自動的に扉がロックされる。したがって、扉を閉め忘れて、扉が半開状態のまま放置されることがなくなる。【選択図】        図１
0003125106.tif 000002
【実用新案登録請求の範囲】
【請求項１】
門扉用支柱に取り付けられた開閉式の門扉であって、
上記支柱と上記門扉を構成する扉のフレーム若しくは扉の格子状板体との間に閉扉手段が介在され、
この閉扉手段は、上記支柱側にその一端が取り付けられた伸縮バネと、この伸縮バネの他端と、上記フレーム若しくは格子状板体との間に取り付けられたワイヤとで構成され、
上記伸縮バネの作用で、半開状態の扉を閉扉する
ことを特徴とする開閉式門扉。
【請求項２】
上記伸縮バネの一端には伸縮力に対する調整ネジが設けられた
ことを特徴とする請求項１記載の開閉式門扉。
【請求項３】
上記ワイヤは、外被筒部と、この外被筒部の内部を摺動自在に貫通するインナーワイヤからなり、
上記ワイヤは、上記支柱および門扉用框を貫通して、上記フレーム若しくは格子状板体に取り付けられた
ことを特徴とする請求項１記載の開閉式門扉。
【考案の詳細な説明】
【技術分野】
【０００１】
この考案は開閉式門扉に関する。詳しくは、門扉を支える支柱と、扉のフレームや板体との間に、扉をロックするための、伸縮バネを備えた閉扉手段を取り付けることで、簡単な構成で、半開状態の扉を確実に原位置に戻してロックできるようにしたものである。
【背景技術】
【０００２】
戸建て用の門扉や、マンション出入り口に設置される門扉などは、人の出入りが終わった後、扉が確実に閉じてロックされることが好ましい。扉のロックを確実なものとするためには門扉を自動開閉式に構成すればよい。自動開閉式に構成した門扉は既に知られている（例えば、特許文献１〜３）。
【０００３】
特許文献１および特許文献２に開示された技術は、何れも引き戸式の門扉に自動開閉機構を施したものであって、門扉を開閉するため駆動輪に対する駆動モータが設置され、この駆動モータの動力を利用して駆動輪を回転駆動することで門扉が開閉される。
【０００４】
特許文献３に開示された技術は、伸縮式の門扉に自動開閉機構が施されたもので、可動框に駆動モータを設置し、可動框の下端に取り付けた駆動輪をこの駆動モータによって駆動する。駆動モータを正逆転駆動することで、引き戸式の扉を自動的に開閉できる。
【０００５】
【特許文献１】特開２００３−６４９７２号公報
【特許文献２】特開２００３−２３９６２２号公報
【特許文献３】特開２００３−２３９６６３号公報
【考案の開示】
【考案が解決しようとする課題】
【０００６】
ところで、上述した特許文献１〜３に開示された技術のうち、特許文献１および２などに開示されている技術は、何れも引き戸式の門扉であるため、比較的間口の広い敷地内に設置された大型の門扉に適用されている。
【０００７】
扉（引き戸）を開閉するためには駆動モータなどの動力源を利用してその開閉操作を行っている。そのため、扉には、複雑な自動開閉機構を設置する必要があり、それだけ設備コストが上昇すると共に、動力源が必要なため維持費もかかる他、保守点検なども簡単に行うことができない。
【０００８】
特許文献３に開示された技術でも、伸縮性の扉の開閉は駆動モータを制御することで行う必要があるから、駆動モータの設置を始めとして、その制御系を門扉に装備する必要がある。そのため、特許文献１、２などと同じく設備費や維持費がかかると言う共通の問題を有する。さらに、これらの技術は比較的間口の狭い場所に設置される、両開き式や半開式の門扉などには適用できない。
【０００９】
そこで、この考案はこのような従来の課題を解決したものであって、特に動力源を必要とすることなく、半開状態の扉を確実にロックできるようにした開閉式の門扉を提案するものである。
【課題を解決するための手段】
【００１０】
上述の課題を解決するため、請求項１に記載したこの考案に係る開閉式門扉は、
門扉用支柱と上記門扉を構成する扉のフレーム若しくは扉の格子状板体との間に閉扉手段が介在され、
この閉扉手段は、上記支柱側にその一端が取り付けられた伸縮バネと、この伸縮バネの他端と、上記フレーム若しくは格子状板体との間に取り付けられたワイヤとで構成され、上記伸縮バネの作用で、半開状態の扉を閉扉することを特徴とする。
【００１１】
この考案では、門扉用支柱（門柱）と扉のフレーム若しくは格子状板体との間に伸縮自在な閉扉手段を取り付ける。閉扉手段は、伸縮バネとワイヤとで構成され、伸縮バネの一端は門扉用支柱に取り付け固定され、伸縮バネの他端にはワイヤが連結される。ワイヤの他端は、扉を構成するフレームか、扉を構成する格子状板体に取り付け固定される。伸縮バネの一端には伸縮力に対する調整ネジが設けられる。
【００１２】
ワイヤは、外被筒部（アウタワイヤ）と、この外被筒部の内部を摺動自在に貫通するインナーワイヤで構成されたワイヤを使用することができ、このワイヤが、門扉用支柱および門扉用框を貫通して、上述したフレーム若しくは格子状板体に取り付けられる。
【００１３】
開閉式の門扉であるときは、常に開閉する一方の扉と門扉用支柱との間に閉扉手段が装備される。片開き式の門扉であるときはその開閉扉に閉扉手段が装備される。
【００１４】
扉を開くときは、閉扉手段に設けられた伸縮バネが閉扉時よりも伸びるために、扉には負荷が多少かかった状態となっているので、閉扉手段がない場合よりも若干重たく感じる。扉を開いて人が出入りした後、半開状態で扉の取っ手から手を離すと、上述した伸縮バネの作用で扉が自動的に原位置まで回動して戻るので、自動的に扉がロックされる。したがって、扉を閉め忘れて、扉が半開状態のまま放置されることがなくなる。
【００１５】
なお、伸縮バネの伸縮力は、扉の開閉に支障を来さない程度のバネ力であって、しかも半開状態の扉を原位置に戻し、ロックできる程度のバネ力となるように調整ネジによって調整される。伸縮力が弱まったときは、この調整ネジによって調整することで、常に適度の伸縮力を保持できる。
【考案の効果】
【００１６】
この考案では、門扉用支柱と扉のフレーム若しくは格子状板体との間に、伸縮自在な閉扉手段を取り付けて、自動閉扉を実現したものである。
【００１７】
閉扉手段は、伸縮バネとワイヤで構成されているため、扉が半開き状態であっても伸縮バネの作用で、その扉を原位置に自動的に戻すことができる。その構成は極めて簡単であるから、廉価で、動力源を不要にした自動閉扉式の門扉を提供できる。
【考案を実施するための最良の形態】
【００１８】
続いて、この考案に係る開閉式門扉の好ましい実施例を図面を参照して詳細に説明する。
【実施例１】
【００１９】
図１はこの考案にかかる開閉式門扉１０を両開き式の門扉に適用した場合である。この開閉式門扉１０は左右に立設された門扉用支柱１２，１４を有し、門扉用支柱１２，１４に蝶番１６，１８を介して一対の扉（開閉扉）１０Ａ，１０Ｂが開閉自在に取り付けられる。
【００２０】
扉１０Ａ，１０Ｂは種々の構成のものを適用できるが、この例では格子状に複数の板体３２が嵌め込まれた扉を例示する。一対の扉１０Ａ，１０Ｂの互いに対峙する框（縦框）２２には施錠部２６が設けられ、それぞれの扉１０Ａ，１０Ｂに取り付けられた取っ手２４を開閉操作することで、扉１０Ａ、１０Ｂ同士の開閉操作と、施錠および開錠操作が行われることになる。
【００２１】
そして、通常では、左右の扉１０Ａ，１０Ｂの何れかが常閉用の扉として使用され、他方が常開用の扉として使用される。図１に示すものは、紙面に向かって右側の扉１０Ａが常開用の扉となされ、したがって左側の扉１０Ｂにはロック棒２８が取り付けられている。
【００２２】
この考案では、常開用の扉１０Ａ側に、閉扉手段３０が取り付けられる。閉扉手段３０は、伸縮バネ４０とワイヤ５０とで構成され、伸縮バネ４０が門扉用支柱１２側に固定されると共に、ワイヤ５０の一端は伸縮バネ４０に取り付け固定され、その他端は扉１０Ａを構成するこの例では格子状板体３２の一側面３２ａ側に固定される。
【００２３】
扉１０Ａの開閉操作に応じて伸縮バネ４０が伸縮する。つまり、扉１０Ａを開いたときには、その開き角度に応じて伸縮バネ４０が伸びるので、扉１０Ａがロックされた状態にあるときが伸縮バネ４０が最も縮んだ状態となる。閉扉手段３０のうち扉１０Ａ側に露出した部分はカバー体３４によって被覆される。
【００２４】
図２は、閉扉手段３０の詳細構成を示す。門扉用支柱１２は、ステンレス材などによって加工された角柱体が使用され、門扉用支柱１２の右側面１２ａの所定位置、この例では中央よりも上端部側に断面コ字状をなす取り付け板体４２が取り付け固定される。取り付け板体４２の上端部４２ａには調整ネジ４４が螺合され、この調整ネジ４４に伸縮バネ４０の一端が取り付けられる。伸縮バネ４０はコイルバネが使用され、伸縮バネ４０の他端にワイヤ５０が取り付けられる。
【００２５】
ワイヤ５０としてこの例では、アウタワイヤとして機能する外被筒部５０ｂを有した２層式のワイヤが使用される。このワイヤ５０は図４に示すように、所定の長さと内径を有した樹脂製の外被筒部５０ｂと、その内部を進退自在に貫通して取り付けられたインナーワイヤ５０ａとで構成される。このワイヤ５０は自転車などのブレーキワイヤとして多用されているワイヤなどを利用できる。
【００２６】
図２に示すように、外被筒部５０ｂを貫通したインナーワイヤ５０ａの一端が、取り付け板体４２の下端部４２ｂに設けられた透孔を貫通した状態で、伸縮バネ４０に取り付け固定される。この透孔には例えば樹脂製のスリーブ４６が取着され、インナーワイヤ５０ａの進退時の摩擦を軽減するようにしている。
【００２７】
ワイヤ５０は、図２に示すように門扉用支柱１２および門扉１０の縦框８０などをそれぞれ貫通して格子状板体３２の左側面３２ａ側で締結される。そのため、門扉用支柱１２には、伸縮バネ４０を取り付けた面と同じ面１２ａ側であって、取り付け板体４２に近接した位置に、ワイヤ５０の延伸方向を９０°転換するための滑車６０が設けられる。滑車６０は図５に示すような支持版６２を介して右側面１２ａに取り付け固定される。
【００２８】
取り付け板体４２および滑車６０は、それらを覆う大きさのカバー体３４によて被覆される。これで雨水対策や塵埃対策が万全となる。カバー体３４は金属製でも、プラスチック製でも、どちらでも使用することができる。ワイヤ５０の架張力を調整するようなときは、カバー体３４を外して行う。
【００２９】
滑車６０を通過したワイヤ５０はそのまま門扉用支柱１２および縦框８０をそれぞれ貫通して格子状板体３２側に導出され、この格子状板体３２の左側面３２ａに固定される。そのため、門扉用支柱１２の左右側板にはそれぞれ貫通孔７０が穿設される。貫通孔７０には図示するようなスリーブ７２，７３が取着される。
【００３０】
ここで、ワイヤ５０の外被筒部５０ｂの右端は門扉用支柱１２の中間部までの長さとなっているので、右側のスリーブ７２は比較的小さめのスリーブが使用されるのに対し、左側のスリーブ７３は外被筒部５０ｂが貫通できるような内径を有するものが使用される。左側の鍔付きスリーブ７３は外被筒部５０ｂを縦框８０に固定する働きの他に、雨水などが門扉用支柱１２の内部に浸入を防止する防水機能を持つ。
【００３１】
左側スリーブ７３と対峙する縦框８０側にも、この縦框８０を貫通する透孔８１が穿設されると共に、この透孔８１を塞ぐような鍔付きスリーブ８２が取着される。したがって鍔付きスリーブ８２も外被筒部５０ｂが貫通できる程度の内径を有する。
【００３２】
鍔付きスリーブ８２と対峙する格子状板体３２にも同様な構成が施される。この格子状板体３２は扁平な角柱体であるが、ワイヤ５０を挿通し得る程度の中空部を持っているので、ワイヤ５０を挿通させるための支障とはならない。格子状板体３２にも貫通孔３２ｂが設けられ、ここに鍔付きスリーブ８４が挿着される。そして、ワイヤ５０のうち外被筒部５０ｂの一端は、この鍔付きスリーブ８４の内部まで臨むようにその長さが調整されている。インナーワイヤ５０ａの他端５１ｂはワッシャー８６を介してネジ止めされる。そのため、この例では雄ネジ８８にインナーワイヤ５０ａの他端が固定され、その状態でナット８９によって左側面３２ａに固定される。
【００３３】
このように伸縮バネ４０を介してワイヤ５０が門扉用支柱１２と門扉１０との間に架張される。図２および図５は扉１０Ａを閉じた状態での架張状態をそれぞれ示し、図３および図６は扉１０Ａを半分以上開けた状態での架張状態をそれぞれ示す。
【００３４】
図６からも明らかなように、扉１０Ａを反時計方向に所定角度だけ開けると、扉１０Ａは蝶番１６を中心に回動するが、ワイヤ（インナーワイヤ）５０の貫通位置と、蝶番１６の取り付け位置が相違するため、インナーワイヤ５０ａは図２（図５）の閉じた位置よりも、図３（図６）の開いた位置の方が長くなる。その長くなった分（ΔＬ）だけ、伸縮バネ４０が伸びる。伸縮バネ４０が伸びた長さ（ΔＬ）に相当する伸縮力が、扉１０Ａを原位置に戻すための回動エネルギーとしてこの伸縮バネ４０、換言すれば閉扉手段３０に保存されたことになる。
【００３５】
したがって、扉１０Ａの取っ手２４から手や体を離すと、伸縮バネ４０の伸縮力つまり回動エネルギーによって扉１０Ａには、この扉１０Ａを、開いた位置から元の位置に戻すような力が自動的に作用する。その結果、扉１０Ａは自動的に閉まり、元の位置まで戻ると施錠部２６によって両扉１０Ａ，１０Ｂがロックされる。
【００３６】
このように伸縮バネ４０の伸縮力を利用することで、開けた扉１０Ａを自動的に閉めて、ロックすることができる。なお、扉を開くときは、閉扉手段に設けられた伸縮バネが閉扉時よりも伸びるために、扉には負荷が多少かかった状態となっているが、閉扉手段がない場合よりも若干重たく感じる程度であるため扉の開閉には支障ない。
【００３７】
ここで、伸縮バネ４０の伸縮力は、扉１０Ａの開閉に支障を来さない程度のバネ力であって、しかも半開状態の扉１０Ａを原位置に戻し、ロックできる程度のバネ力となるように調整ネジ４４によって調整される。伸縮力が弱まったときは、この調整ネジ４４を調整することで、常に適切な伸縮力を保持できる。
【００３８】
図２に示す閉扉手段３０は、主として伸縮バネ４０とワイヤ５０とで構成することができるため、構成が非常に簡単である。従来のように駆動モータの駆動力を利用しない構成としたためである。
【００３９】
ワイヤ５０は外被筒部５０ｂ付きのワイヤであるため、インナーワイヤ５０ａがスリーブ７２，７３，８２などに直接接触しないでも扉１０Ａの開閉が可能になる。そのため、扉開閉時のワイヤ５０にかかる摩擦抵抗が非常に小さくなり、扉開閉時の負荷が扉１０Ａにかかりにくい構成となっている。このことは、バネ力（付勢力）として、比較的小さな伸縮バネ４０を使用することができることとなり、それだけ強度を落とした設計が可能になる。因みに、バネ力があり過ぎると、扉１０Ａに対する戻り力が強くなり、ロック時の衝撃力調整に手間取ってしまう。
【００４０】
このように常開用の扉１０Ａを開いて人が出入りした後、半開状態で扉１０Ａの取っ手２４から手を離すと、上述した伸縮バネ４４の作用で扉１０Ａが自動的に原位置まで回動して戻るので、自動的に扉１０Ａがロックされる。したがって、扉１０Ａを閉め忘れて、扉１０Ａが半開状態のまま放置されることがなくなる。
【実施例２】
【００４１】
実施例１は、この考案を両開き式の門扉に適用した。図７は片開き式の門扉にこの考案を適用した場合である。図２と同一部分についてはその説明を割愛する。扉１００Ａとしては、縦フレーム１２０ａと横フレーム１２０ｂで構成される矩形状のフレーム１２０が縦框１１０に取り付けられ、この矩形状フレーム１２０に波板１２４が取り付けられた構造の門扉１００に適用した例である。
【００４２】
そのため、縦框１１０に沿って取り付けられる縦フレーム１２０ａにワイヤ５０が固定される構成が採用されている。この例では、閉扉手段３０を門扉１００に装備するとき、門扉１００を構成する縦框１１０とこれに取り付けられたフレーム１２０を取り外す。そして、縦框１１０には図２と同じ貫通孔８１が穿設され、ここに鍔付きスリーブ８２が装着される。縦框１１０に沿って配された縦フレーム１２０ａにもワイヤ５０を貫通させるための貫通孔１３４が穿設される。貫通孔１３４にもストレート状のスリーブ１３６が装着される。
【００４３】
縦フレーム１２０ａにはその他に、この例では貫通孔１３４より若干離れた上部側に比較的大きな第１の透孔１３０と、インナーワイヤ５０ａが貫通できる程度の第２の透孔１３２がそれぞれ穿設される。第１の透孔１３０は、インナーワイヤ５０ａの先端５１ｂに固定された金槌状のストッパ５２が通過できる程度の大きさである。
【００４４】
ここで、門扉１００に閉扉手段３０、特にワイヤ５０を取り付ける場合には、框１１０からフレーム１２０を取り外して上述した貫通孔８１，１３４や透孔１３０，１３２が穿設される。第１の透孔１３０側からインナーワイヤ５０ａの先端部５１ａを、
第１の透孔１３０→第２の透孔１３２→貫通孔１３４→貫通孔８１
のように通す。その後、外被筒部５０ｂの先端部を貫通孔８１側より貫通孔１３４側に通した状態でフレーム１２０ａを縦框１１０に固定する。その後は、インナーワイヤ５０ａおよび外被筒部５０ｂを門扉用支柱１２を貫通させると共に、伸縮バネ４０を介してインナーワイヤ５０ａを調整ネジ４４に連結することで、閉扉手段３０の取り付けが完了する。
【００４５】
第２の透孔１３２はストッパ５２よりその内径が小さいので、インナーワイヤ５０ａをフレーム１２０ａに固定することができる。
【００４６】
このような半開き式の門扉１００の場合にも、門扉１００は蝶番１６を介して門扉用支柱１２に取り付け固定されるものであるから、実施例１と同様に伸縮バネ４０のバネ力を利用して半開き状態の門扉１００Ａを元の位置まで自動的に戻すことができ、扉１００Ａを確実にロックできる。
【産業上の利用可能性】
【００４７】
この考案は、両開き式、半開き式のような開閉式門扉に適用できる。
【図面の簡単な説明】
【００４８】
【図１】この考案にかかる両開き扉を有する開閉式門扉の平面図である。
【図２】その一部の拡大要部断面図であって、閉扉状態を示す。
【図３】図２と同様な拡大要部断面図であって、半開き状態を示す。
【図４】ワイヤの一例を示す構成図である。
【図５】この考案にかかる開閉式門扉を平面から見た一部拡大要部断面図であって、閉扉状態を示す。
【図６】図５と同様な拡大要部断面図であって、半開状態を示す。
【図７】この考案にかかる片開き扉を有する開閉式門扉であって、その一部の拡大要部断面図（閉扉状態）である。
【符号の説明】
【００４９】
１０，１００・・・門扉、１２・・・門扉用支柱、１０Ａ，１０Ｂ，１００Ａ・・・扉、８０，１１０・・・縦框、３０・・・閉扉手段、３２・・・格子状板体、１２０・・・フレーム、４０・・・伸縮バネ、５０・・・ワイヤ、５０ａ・・・インナーワイヤ、５０ｂ・・・外被筒部（アウタワイヤ）、６０・・・滑車、４４・・・調整ネジ、７２，８２，８４，１３６・・・スリーブ、１６・・・蝶番
【図１】
0003125106.tif 000003
【図２】
0003125106.tif 000004
【図３】
0003125106.tif 000005
【図４】
0003125106.tif 000006
【図５】
0003125106.tif 000007
【図６】
0003125106.tif 000008
【図７】
0003125106.tif 000009